(57)【要約】【課題】コンパクトでしかも安価であり、一般家庭に適用可能な浴槽設備を提供する。【解決手段】被介護者が乗った車椅子が出入りできる出入部１１を槽壁部１０に形成した浴槽本体１と、その浴槽本体１の前記出入部１１を開閉する浴槽扉２とを備えていることを特徴とする。【選択図】    図１
2004261455.tif 000002
【特許請求の範囲】
【請求項１】
被介護者が乗った車椅子が出入りできる出入部を槽壁部に形成した浴槽本体と、
その浴槽本体の前記出入部を開閉する浴槽扉とを少なくとも備えていることを特徴とする浴槽設備。
【請求項２】
請求項１記載の浴槽設備において、前記浴槽扉の周辺部にフランジ部が設けられ、前記浴槽本体の出入部の周辺部に受け部が形成されて、浴槽扉が浴槽本体の内側あるいは外側から装着されて、前記フランジ部と受け部の間にパッキングが介在されることを特徴とする浴槽設備。
【請求項３】
請求項１記載の浴槽設備において、前記浴槽本体の近くに湯を貯留する貯湯槽と、浴槽本体と貯湯槽の間で湯の移動を行なうためのポンプと配管を備えていることを特徴とする浴槽設備。
【請求項４】
請求項１記載の浴槽設備において、前記浴槽本体内の湯面の嵩上げを行なうための補助パネルを前記浴槽本体ならびに浴槽扉の上部に着脱可能に設けたことを特徴とする浴槽設備。
【発明の詳細な説明】
【０００１】
【産業上の利用分野】
本発明は、浴槽設備に係り、特に被介護者の入浴が容易な省スペースで安価な浴槽設備に関するものである。
【０００２】
【従来の技術】
車椅子などを使用している身体の不自由な被介護者を入浴させる際には、介護者が被介護者を抱き抱え、浴槽を形成している壁部を乗り越えさせて浴槽内に入れたり、また浴槽から出るときも壁部を乗り越えさせる必要がある。そのため介護者は過大の労力を費やすことになり、また、浴室内で介護者や被介護者が滑ったりして非常に危険である。
【０００３】
そのため介護者が余り労力を費やすことなく、被介護者の入浴が可能な浴槽設備が種々開発され、製品化されている。図２１は、従来の被介護者用の浴槽設備の一例を示す斜視図である（非特許文献１参照）。
【０００４】
この浴槽設備は浴槽本体１００の近くに基台１０１が設置され、その基台１０１にシリンダ１０２を有するリフト１０３が設けられている。このリフト１０３の下部に専用の椅子１０４が取り付けられ、椅子１０４の両側には手を載せるアーム１０５が付設されている。椅子１０４は前記リフト１０３の操作により、矢印で示すように所定の範囲内で上下動ならびに回転可能になっている。
【０００５】
被介護者を入浴させる際は、図２１に示すように椅子１０４を浴槽本体１００の外の下限位置に待機させておき、浴槽本体１００には湯を入れておく。そして被介護者を抱きかかえて椅子１０４に腰かけさせ、被介護者は安全確保のためにアーム１０５上に手を載せて、アーム１０５の先端部を把持する。
【０００６】
そして介護者がリフト１０３を操作し、浴槽本体１００を越える高さまで被介護者を乗せた椅子１０４を上昇させ、次に椅子１０４（被介護者）を浴槽本体側に回転させる。椅子１０４（被介護者）が浴槽本体１００の上までくると回転を止め、今度は椅子１０４（被介護者）を下降させて被介護者を浴槽本体１００中の湯につける。
【０００７】
被介護者が浴槽本体１００から出るときは反対に浴槽本体１００を越える高さまで被介護者が乗っている椅子１０４を上昇させて、浴槽本体１００の外側の位置まで回転させ、その後に下降させる。
【０００８】
【非特許文献１】
酒井医療株式会社発行「バスチェリー  ＣＨ−１００」カタログ
【０００９】
【発明が解決しようとする課題】
しかしこの浴槽設備は、基台１０１，リフト１０３，専用の椅子１０４などが必要で、しかも被介護者を乗せた椅子１０４を上下動ならびに回転させるから、基台１０１の基礎工事を強固にする必要がある。そのため設備が大掛かりになり、広いスペースが必要で、高価な設備となるなどの問題を有し、一般家庭用には不向きである。
【００１０】
本発明の目的は、このような従来技術の欠点を解決し、コンパクトでしかも安価であり、一般家庭に適用可能な浴槽設備を提供することにある。
【００１１】
【課題を解決するための手段】
前記目的を達成するため、本発明の第１の手段は、被介護者が乗った車椅子が出入りできる出入部を槽壁部に形成した浴槽本体と、その浴槽本体の前記出入部を開閉する浴槽扉とを少なくとも備えていることを特徴とするものである。
【００１２】
本発明の第２の手段は前記第１の手段において、前記浴槽扉の周辺部にフランジ部が設けられ、前記浴槽本体の出入部の周辺部に受け部が形成されて、浴槽扉が浴槽本体の内側あるいは外側から装着されて、前記フランジ部と受け部の間にパッキングが介在されることを特徴とするものである。
【００１３】
本発明の第３の手段は前記第１の手段において、前記浴槽本体の近くに湯を貯留する貯湯槽と、浴槽本体と貯湯槽の間で湯の移動を行なうためのポンプと例えば吸込管や吐出管などの配管を備えていることを特徴とするものである。
【００１４】
本発明の第４の手段は前記第１の手段において、前記浴槽本体内の湯面の嵩上げを行なうための補助パネルを前記浴槽本体ならびに浴槽扉の上部に着脱可能に設けたことを特徴とするものである。
【００１５】
【発明の実施の形態】
以下、本発明の実施形態を図面に基づいて説明する。図１は実施形態に係る浴槽設備の一部を断面した平面図、図２は図１Ａ−Ａ線上の断面図、図３は図１Ｂ−Ｂ線上の断面図である。
【００１６】
本実施形態に係る浴槽設備は、浴槽本体１と、その浴槽本体１の槽壁部の一部を構成する浴槽扉２と、貯湯槽３と、図１と図３に示すように浴槽本体１と貯湯槽３の間に設けられた配管部４と、図３に示すようにポンプ５を内蔵したポンプ部６とから主に構成されている。図中の７は浴室８を形成する浴室壁、９は両開き式の出入口ドアである。
【００１７】
前記浴槽本体１ならびに浴槽扉２は、例えば中空構造の強化プラスチック（ＦＲＰ）や機械的強度及び耐蝕性に優れたステンレス鋼板などの金属から構成されている。図４と図５に示すように浴槽本体１における槽壁部１０の一部に、車椅子（図示せず）が出入りできる幅Ｌ（図４参照）を有する切欠き状の出入部１１が形成されている。この出入部１１にパネル状の浴槽扉２が浴槽本体１の内側から嵌め込まれて、浴槽本体１の槽壁部の一部を構成する。浴槽本体１は、車椅子が入れて身体が洗えるほどの広さを有している。浴槽本体１と浴室８は、余り段差がつかないように設計されている。
【００１８】
図６は浴槽扉２の正面図、図７（ａ），（ｂ）は浴槽扉２を浴槽本体１に装着する状態を説明するための一部拡大断面図である。浴槽扉２の両側端部から下端部の周辺部にかけて連続したフランジ部１２が、また浴槽本体１の前記出入部１１の周辺部にフランジ部１２と対向する段状の受け部１３が、それぞれ形成されている。
【００１９】
図７に示すように、フランジ部１２と受け部１３の接合面から湯が漏れないように、フランジ部１２あるいは受け部１３の面（本実施形態では受け部１３側）に、耐熱性のパッキング１４が取付けられている。
【００２０】
図６に示すように、浴槽扉２の外側面（浴槽内と反対側の面）の両側端部の近くに２つの凹部１５が形成され、その凹部１５内に締付レバー１６が浴槽扉２の外側面に対して回動可能に取り付けられ、締付レバー１６には締付バー１７が連結されている。
【００２１】
２本の締付バー１７は図６に示すように浴槽扉２の両側端部に向けて延びており、締付レバー１６の回動に伴って浴槽扉２内でスライドし、図７に示すように締付バー１７の先端部にはテーパ面１８が形成されている。一方、浴槽本体１側には締付バー１７と対応する位置に挿入凹部１９が設けられ、挿入凹部１９の前記テーパ面１８と対向するテーパ面２０が形成されている。
【００２２】
図６の図面に向かって右側の締付レバー１６は凹部１５内で横倒しにした状態を示しており、この状態では図７（ａ）に示すように締付バー１７の先端部は浴槽扉２から突出していない。従って、両側の締付レバー１６を凹部１５内で横倒しにした状態で、浴槽扉２を浴槽本体１の内側から嵌めて、浴槽本体１の出入部１１を塞ぐ。この塞いだ状態で図７（ａ）に示すように、浴槽扉２のフランジ部１２は浴槽本体１の受け部１３と対向する。この横倒しになった状態では締付レバー１６は凹部１５内に収められて、浴槽扉２の表面から突出していない。
【００２３】
浴槽扉２で出入部１１を塞いでから、図６の図面に向かって右側の締付レバー１６に付した矢印の方向に締付レバー１６を回動して起こすと、図６の図面に向かって左側の締付レバー１６のように起立状態になる。この締付レバー１６の回動に伴って図７（ｂ）に示すように締付バー１７が挿入凹部１９側に移動し、締付バー１７のテーパ面１８が浴槽本体１側のテーパ面２０の上に乗り上げ、その結果、浴槽扉２のフランジ部１２が浴槽本体１の受け部１３側にパッキング１４を介して圧着され、浴槽本体１と浴槽扉２の接合部が液密的に密着する。
【００２４】
図３に示すポンプ５には後述するように、各吸込管ならびに吐出管が接続されている。
【００２５】
図８ないし図１２は、被介護者が入浴する際の順序を説明するための図である。まず図８に示すように浴槽本体１に浴槽扉２を取り付けて、浴槽本体１にはバーナあるいは電気的昇温装置（図示せず）が付設されているから、これらの操作により浴槽本体１内に湯２１を満たす。前述のように浴槽扉２は浴槽本体１に液密的に密着するから、浴槽本体１と浴槽扉２の接合部から湯２１が漏れることはない。健常者の場合は、これで入浴が可能となる。
【００２６】
被介護者が入浴する場合は、浴槽本体１内に湯２１が満たされると図９に示すように、ポンプ５を稼動させそれに接続された吸込管２２と吐出管２３を通して湯２１を全て貯湯槽３に移す。湯２１の移動が終了すると図１０に示すように、浴槽扉２を浴槽本体１から取り外し、浴槽本体１に出入部１１を形成するす。浴槽本体１には湯２１が無く水圧の影響を受けないため、浴槽扉２の取り外しは容易である。
【００２７】
そして車椅子に乗ったままの被介護者を浴槽本体１内に導き、その後に図１１に示すように浴槽扉２を浴槽本体１に取り付け、さらにその上に補助パネル２４を取り付ける。この補助パネル２４は、車椅子に乗った被介護者の肩が湯２１につからない場合の湯面嵩上げ、あるいは被介護者の身体を洗う際の湯２１の飛び散りを少なくするためなどに用いられる。図示していないが、浴槽本体１と浴槽扉２の上部には、補助パネル２４の下端部が嵌入する溝が設けられている。
【００２８】
次いで図１２に示すように、ポンプ５を稼動させそれに接続された吸込管２５と吐出管２６を通して湯２１を全て貯湯槽３から浴槽本体１に移して、被介護者を湯で温めたりあるいは身体を洗う。
【００２９】
入浴が終了すると、残った湯を浴槽本体１の排水口２７から排水するか、あるいは図９に示すようにポンプ５を稼動させ、それに接続された吸込管２２と吐出管２３を通して残り湯を全て貯湯槽３に移す。浴槽本体１内の残り湯が無くなると、補助パネル２４と浴槽扉２を外し、車椅子に乗った被介護者を浴槽本体１の外に導く。浴槽本体１内には湯が無いため、浴槽扉２の取り外しは容易である。貯湯槽３に移した残り湯は、洗濯、清掃、散水などに利用可能である。
【００３０】
図１３ないし図１８は、浴槽本体１に対する浴槽扉２の締め付け機構の別の例を示す図である。図１３は浴槽扉を装着した浴槽本体の平面図、図１４はそれの正面図、図１５は図１４Ｃ−Ｃ線上から見た拡大図、図１６は浴槽扉を装着する前の浴槽本体の一部拡大図、図１７は図１５Ｄ−Ｄ線上から見た締め付け前の状態を示す拡大図、図１８は図１５Ｄ−Ｄ線上から見た締め付け後の状態を示す拡大図である。
【００３１】
この例の場合、図１４に示すように浴槽本体１に対する浴槽扉２の締付部２８が所定の間隔をおいて浴槽扉２の上下、左右の合計４個所設けられている。この締付部２８はカム２９、カムストッパー３０、固定ピン３１から主に構成されている。図１７と図１８に示すようにカム２９とカムストッパー３０は浴槽扉２に回動可能に支持され、図１６に示すように固定ピン３１は浴槽本体１に固定されている。
【００３２】
カム２９は軸３２により回転可能に支持され、図示しないスプリングにより図１７において反時計回り方向に弾性付勢され、図示しないストッパーにより同図の位置で待機している。カム２９には、円弧状をした抱え込み部３３と、途中に凹部３４を有する突出部３５を有している。
【００３３】
カムストッパー３０は軸３６により回転可能に支持され、図示しないスプリングにより図１７において時計回り方向に弾性付勢され、図示しないストッパーにより同図の位置で待機している。カムストッパー３０は平面形状がほぼくの字状をしており、図１７に示す待機状態のときカムストッパー３０の中間部に形成されている窪み部３７内にカム２９の突出部３５が嵌入している。
【００３４】
浴槽扉２の外側面でかつ前記抱え込み部３３の回動領域内には、溝部３８が形成されている。また図１５に示すようにフランジ部１２の全周には、耐熱性のパッキング１４が取り付けられている。
【００３５】
前記固定ピン３１は平面形状が枠形（本実施形態）あるいはＬ字形をしており、図１６に示すようにその一部が出入部１１側に突出して上下に貫通した貫通部３９を形成している。固定ピン３１の出入部１１側へ突出していない他の部分は浴槽本体１内に埋設され、固定ピン３１をしっかりと固定している。
【００３６】
図１７に示すようにカム２９とカムストッパー３０が待機状態にある浴槽扉２を浴槽本体１の内側から出入部１１に嵌め込み、出入部１１を閉塞し、パッキング１４を浴槽本体１の受け部１３に当接する。浴槽扉２を出入部１１に嵌合したとき、図１７に示すように浴槽本体１側の固定ピン３１が浴槽扉２側の溝部３８内にある。
【００３７】
この状態でカム２９に連結されているレバー（図示せず）を介してスプリング（図示せず）の弾性に抗してカム２９を矢印Ｘ方向に回動すると、固定ピン３１が抱え込み部３３に抱え込まれ、さらにカム２９を回動すると、図１８に示すように固定ピン３１は溝部３８の底部近くまで押し込まれた状態になる。
【００３８】
固定ピン３１が溝部３８の底部近くまで押し込まれるということは、浴槽本体１に対して浴槽扉２が相対的に押し付けられることであり、それによりパッキング１４が浴槽本体１の受け部１３に強圧され、浴槽本体１と浴槽扉２の接合部が液密的に密着する。
【００３９】
前述のカム２９の回動に伴いカムストッパー３０は、軸３６を中心として矢印Ｙ方向に回動するが、カムストッパー３０はスプリング（図示せず）により常に矢印Ｙ方向とは反対方向に弾性付勢されているから、カムストッパー３０の周辺の一部は常にカム２９の突出部３５に摺接する。
【００４０】
そして図１８に示すように固定ピン３１が溝部３８の底部近くまで押し込まれた状態のとき、カムストッパー３０の先端部４０がカム２９の凹部３４に入り込み、カム２９（浴槽扉２）の締め付け状態を保持する。
【００４１】
図１９と図２０はカム２９とカムストッパー３０と固定ピン３１を使用した他の例を示す図で、図１９は浴槽扉２を閉じた状態を示す一部平面図、図２０は浴槽扉２を浴槽の外側に開いた状態を示す一部平面図である。
【００４２】
浴槽扉２はヒンジ部４１により浴槽本体１に開閉可能に支持されている。浴槽本体１のヒンジ部４１とは反対側に固定ピン３１が取り付けられ、浴槽扉２の固定ピン３１と対向する位置にはカム２９とカムストッパー３０（図示せず）が配置されている。図中の４２は取手である。
【００４３】
この例は図２０に示すように浴槽本体１側にパッキング１４が取り付けられているが、パッキング１４を浴槽扉２側に取り付けることもできる。カム２９とカムストッパー３０と固定ピン３１の機能は、図１７と図１８で説明したものと同様であるので、重複する説明は省略する。
【００４４】
浴槽本体１に対する浴槽扉２の締め付けは、この他に例えば回転する丸ハンドルと、その丸ハンドルに連結されたネジ棒と、そのネジ棒に螺合するナットまたは締付バーとを組み合わせた締付機構など、他の締付機構を用いることも可能である。
【００４５】
前記実施形態では、車椅子に乗った被介護者の肩が湯２１につからない場合の湯面嵩上げ用に補助パネル２４を使用したが、車椅子の座椅子部が浴槽本体１の底部近くまで下がる機構になっていたり、あるいは（ならびに）背もたれが倒れるリクライニングシート式の車椅子の場合は、補助パネル２４を使用しなくてもよい。
【００４６】
【発明の効果】
本発明は前述のような構成になっており、全体的にコンパクトでしかも安価であり、一般家庭に適用可能な浴槽設備を提供することができる。
【図面の簡単な説明】
【図１】本発明の実施形態に係る浴槽設備の一部を断面した平面図である。
【図２】図１Ａ−Ａ線上の断面図である。
【図３】図１Ｂ−Ｂ線上の断面図である。
【図４】浴槽扉を装着する前の状態での浴槽設備の一部を断面した平面図である。
【図５】浴槽扉を装着する前の状態での浴槽設備の断面図である。
【図６】浴槽扉の正面図である。
【図７】（ａ），（ｂ）は浴槽扉を浴槽本体に装着する状態を説明するための一部拡大断面図である。
【図８】入浴の順序を説明するための図である。
【図９】入浴の順序を説明するための図である。
【図１０】入浴の順序を説明するための図である。
【図１１】入浴の順序を説明するための図である。
【図１２】入浴の順序を説明するための図である。
【図１３】浴槽扉を装着した浴槽本体の平面図である。
【図１４】浴槽扉を装着した浴槽本体の正面図である。
【図１５】図１４Ｃ−Ｃ線上から見た拡大図である。
【図１６】浴槽扉を装着する前の浴槽本体の一部拡大図である。
【図１７】図１５Ｄ−Ｄ線上から見た締め付け前の状態を示す拡大図である。
【図１８】図１５Ｄ−Ｄ線上から見た締め付け後の状態を示す拡大図である。
【図１９】浴槽扉を閉じた状態を示す一部平面図である。
【図２０】浴槽扉を開いた状態を示す一部平面図である。
【図２１】従来の入浴設備の斜視図である。
【符号の説明】
１：浴槽本体、２：浴槽扉、３：貯湯槽、４：配管部、５：ポンプ、６：ポンプ部、７：浴室壁、８：浴室、９：出入口ドア、１０：槽壁部、１１：出入部、１２：フランジ部、１３：受け部、１４：パッキング、１５：凹部、１６：締付レバー、１７：締付バー、１８：テーパ面、１９：挿入凹部、２０：テーパ面、２１：湯、２２：吸込管、２３：吐出管、２４：補助パネル、２５：吸込管、２６：吐出管、２７：排水口、２８：締付部、２９：カム、３０：カムストッパー、３１：固定ピン、３２：軸、３３：抱え込み部、３４：凹部、３５：突出部、３６：軸、３７：窪み部、３８：溝部、３９：貫通部、４０：先端部、４１：ヒンジ部、４２：取手、Ｌ：出入部の幅
【図１】
2004261455.tif 000003
【図２】
2004261455.tif 000004
【図３】
2004261455.tif 000005
【図４】
2004261455.tif 000006
【図５】
2004261455.tif 000007
【図６】
2004261455.tif 000008
【図７】
2004261455.tif 000009
【図８】
2004261455.tif 000010
【図９】
2004261455.tif 000011
【図１０】
2004261455.tif 000012
【図１１】
2004261455.tif 000013
【図１２】
2004261455.tif 000014
【図１３】
2004261455.tif 000015
【図１４】
2004261455.tif 000016
【図１５】
2004261455.tif 000017
【図１６】
2004261455.tif 000018
【図１７】
2004261455.tif 000019
【図１８】
2004261455.tif 000020
【図１９】
2004261455.tif 000021
【図２０】
2004261455.tif 000022
【図２１】
2004261455.tif 000023